(57)【要約】      （修正有）【課題】ＯＡ機器を机の下に設置して使用した場合、ＯＡ機器の後部に接続した多数のケーブル類にストレスを与えることなく、ＯＡ機器を出し入れする事を可能とし、更にはＯＡ機器を袖箱ごと容易に移動交換等を可能とする机を提供する。【解決手段】箱体の上端部に鍔部を設けて天板を配し、天板上部にケーブル収納部を形成する。更に、左鍔後部に切り欠きを設け、後部ケーブル通路を形成し、右鍔前部に切り欠きを設け、前部ケーブル通路を形成する。前鍔の上面の右隅に垂直孔を穿孔し、バネによって付勢したシャフトを有する係止具を其のストロークが垂直に出し入れ可能に押納して取り付け、箱体の左側板の下部にパーソナルコンピューターの本体等のＯＡ機器を載置する為の載置台を側方より取り付け底面の四隅に移動方向自在に回転するキャスターを取り付けて、袖箱を形成する。【選択図】  図２
2006081786.tif 000002
【特許請求の範囲】
【請求項１】
前板の左後方に左側板及び右後方に右側板を配し前板の対向面に壁板を配し底面に底板を配し内部空間に棚板を配し箱体を形成し、更に、箱体の上端部に鍔部を設けて天板を配して、天板上部にケーブル収納部を形成する。更に、右鍔、又は左鍔のいずれか、又は、右鍔および左鍔の両方の後部に切り欠きを設け、後部ケーブル通路を形成する。そして更に、右鍔、又は左鍔のいずれか、又は右鍔および左鍔の両方、の前部に切り欠きを設け、前部ケーブル通路を形成する。前鍔の上面の右隅、又は左隅のいずれか、又は両隅に、垂直孔を穿孔し、バネによって付勢したシャフトを有する係止具を、其のストロークが垂直に出し入れ可能に押納して取り付ける。箱体の右側板、又は左側板のいずれか、又は左右両側板の下部にパーソナルコンピューターの本体等のＯＡ機器を載置する為の載置台を、側方より取り付け、底面の四隅に移動方向自在に回転するキャスターを取り付けて、袖箱を形成する。
机の下板において右前部、又は左前部のいずれか、又は右前部および左前部の両方に、袖箱の前鍔に押納して取り付けた係止具のシャフトが挿通可能なホールド孔を穿孔し、更に、ホールド孔の近くに、袖箱の天板上面に収納したケーブル類を机の内部に導く為の導入孔を穿孔する事を特徴とする机。
【請求項２】
机の内部において右側板前方、又は左側板前方のいずれか、又は右側板前方および左側板前方、の空間に間仕切りを設け、側方収納スペースを形成し、側方収納スペースの上部を塞ぐ側方蓋を側板に蝶着し開閉自在とし、更に、側方蓋に切り欠きを設けケーブル挿通孔を形成することを特徴とする請求項１に記載の机。
【請求項３】
机の内部において壁板の手前の空間に、左右にわたって後部間仕切りを設け後部収納スペースを形成し、後部間仕切りの右、又は左、又は右および左、に切り欠きを設け、側方収納スペースよりケーブル類を導くための内部ケーブル通路を形成する。更に、後部収納スペースの上部にかかる天板の一部を切り欠き、ケーブル取出し口を設け、壁板にも後部ケーブル取出し口を設ける。更に、後部収納スペースを塞ぐ後方蓋を着脱自在としたことを特徴とする請求項１に記載の机。
【発明の詳細な説明】
【技術分野】
【０００１】
本発明は、主にパーソナルコンピューター等のＯＡ機器（以下、ＯＡ機器と称する）を搭載して使用する為の机、ＯＡ機器台に関するもので、机の天板上の空間を有効に利用するために、天板の下部空間にＯＡ機器の本体（以下、仮にタワーと称する）を搭載した袖箱を収納し、しかも、タワーの後部に接続した多数のケーブル類にストレスを与えることなく、タワーを出し入れする事を可能とした机に関する。
【背景技術】
【０００２】
従来のＯＡ機器の使用形態として、タワーは机の上に載置されていたが、机の上の空間を最大限に利用したいので余分な物は置きたくない、との使用者の欲求から、タワーを机の下に設置される方法がとられるようになってきた。
【０００３】
それらの問題を解決する為の手段として、デスク下部空間に載置されるベース上に軸部を立設し、ＯＡ機器載置台の一端下部に垂設した脚を軸部に回動可能に嵌挿し、載置台の他端下部に床面に接するキャスターを設け、載置台上に載置したＯＡ機器本体をデスクの奥行方向及び幅方向のそれぞれに前記軸部を中心として旋回格納可能とする技術を施したものがある。（特許文献1参照。）
【０００４】
以下、図1により従来の、タワーを机の下部空間に置いて使用する技術について説明する。
デスク５下面に載置されるベース上に軸部を立設し、ＯＡ機器載置台７の一端下部に垂設した脚７ｂを軸部に回動可能に嵌挿し、載置台７の他端下部に床面に接するキャスタ７ａを設け、載置台７上に載置したＯＡ機器本体をデスク５の奥行方向及び幅方向のそれぞれに前記軸部を中心として旋回格納可能とする。
【特許文献１】特開平１２−３５８３３号公報（第１頁解決手段参照、図1）
【発明の開示】
【発明が解決しようとする課題】
【０００５】
しかし、前述の如くタワーを机の下に設置して使用する場合、または、ＯＡ機器載置台を机の下に設置しその上にタワー等を載置して使用した場合、新たな弊害が発生する。即ち、それらを通常使用している状態では何等問題はないが、様々の理由によりひとたびタワーに手をかけなければならなくなった場合、例えば、何らかのトラブルによりタワーのケースカバーを取り外してのメンテナンスや、必要に応じてのシステム増設などの作業を行う場合、等である。
【０００６】
タワーは机の下に設置されているので、そのままの状態では、ケースカバーを取り外す事が通常は困難であり、更に、ケースカバーを取り外すのに必要な空間をタワー等のＯＡ機器の周囲に確保する為に机の下より手前に引き出そうとすると、その背部に配置、接続されている電源コードを始め各種の転送ケーブル類が絡んでタワーの移動を阻害する可能性が発生する。更に、無理に引き出そうとするとケーブル類にストレスが加わり最悪の場合断線事故にもなりかねないのでケーブル類を抜き取った後にタワーを引き出さなければならない場合もあるので大変不便である。
【０００７】
本発明は、以上のような問題を解決する為になされたもので、机の下部空間にタワーを搭載した袖箱を収納し、タワーの後部に接続した多数のケーブル類を整理し、更に、ケーブル類にストレスを与えることなく、容易にタワーのメンテナンスを行うことを可能とする。更に、容易なるケーブルの脱着を実現する事で、タワーの移設をも容易にせしめる机に関する。
【課題を解決するための手段】
【０００８】
前板の左右後方に左側板及び右側板を配し前板の対向面に壁板を配し底面に底板を配し内部空間に棚板を配し箱体を形成し、更に、箱体の上端部に鍔部を設けて天板を配して、天板上部にケーブル収納部を形成する。更に、右鍔、又は左鍔のいずれか、又は、右鍔および左鍔の両方の後部に切り欠きを設け、後部ケーブル通路を形成する。そして更に、右鍔、又は左鍔のいずれか、又は右鍔および左鍔の両方、の前部に切り欠きを設け、前部ケーブル通路を形成する。前鍔の上面の右隅、又は左隅のいずれか、または両隅に、垂直孔を穿孔し、バネによって付勢したシャフトを有する係止具を、其のストロークが垂直に出し入れ可能に押納して取り付ける。箱体の右側板、又は左側板のいずれか、又は左右両側板の下部にタワーを載置する為の載置台を、側方より取り付け、底面の四隅に移動方向自在に回転するキャスターを取り付けて、袖箱を形成する。
机の下板において右前部、又は左前部のいずれか、又は右前部および左前部の両方に、袖箱の前鍔に押納して取り付けた係止具のシャフトが挿通可能なホールド孔を穿孔し、更に、ホールド孔の近くに、袖箱の天板上面に収納したケーブル類を机の内部に導く為の導入孔を穿孔する事を特徴とする。
【０００９】
更に、机の内部において右側板前方、又は左側板前方のいずれか、又は右側板前方および左側板前方、の空間に間仕切りを設け、側方収納スペースを形成し、側方収納スペースの上部を塞ぐ側方蓋を側板に蝶着し開閉自在とし、更に、側方蓋に切り欠きを設けケーブル挿通孔を形成することを特徴とする。
【００１０】
更に、机の内部において壁板の手前の空間に、左右にわたって後部間仕切りを設け後部収納スペースを形成し、後部間仕切りの右、又は左、又は右および左、に切り欠きを設け、側方収納スペースよりケーブル類を導くための内部ケーブル通路を形成する。更に、後部収納スペースの上部にかかる天板の一部を切り欠き、ケーブル取出し口を設け、壁板にも後部ケーブル取出し口を設ける。更に、後部収納スペースを塞ぐ後方蓋を着脱自在としたことを特徴とする。
【発明の効果】
【００１１】
本発明は以上に説明したように構成した結果、以下に示すような効果が得られる。
【００１２】
請求項１によれば、底面にキャスターを取り付けた袖箱の、前鍔に取り付けた係止具のシャフトを上部より押圧して係止具内に陥入したまま袖箱を机の下部空間までキャスターにて自在移動し、机の下板に穿孔したホールド孔の下において押圧を解除して、ホールド孔にシャフトを陥入せしめ、袖箱の自在移動を、シャフトを軸とした旋回移動に制限する。
【００１３】
更に、袖箱の側方に設けた載置台にタワーを載置して、その後方に接続した各種転送ケーブルを、後部ケーブル通路を通して、天板上に形成したケーブル収納部に導入し、マジックテープ（登録商標）等にて固定し、余分を収納した後、前部ケーブル通路を通して、机の下板に穿孔した導入孔へと挿入するので、余分なケーブル類が足元に散乱して引き起こされる様々の事故、例えば、躓き、転倒、踏みつけ、断線等を未然に防ぐことが可能である。
【００１４】
これにより、通常は、袖箱を机の下部空間に収納して使用するが、ひとたび問題等が発生した場合は、袖箱を旋回移動し、机の下部空間より露出して、タワーへの作業等を行うのであるが、この際、各種ケーブル類は回転軸に近接して袖箱より机内部へと導入されている為各種ケーブル類にかかるストレスは極めて少なく、又、導入孔に応じて、複数本の導入が可能である。
【００１５】
又、必要により袖箱を移動する場合は、下板の上面より、シャフトの上部を押納して軸作用を解除する。更に、各種転送ケーブル類の接続部を袖箱天板上に設定しておけば、袖箱天板上にてケーブル類を抜装して、さらに容易に移動せしめる。
【００１６】
又、請求項２によれば、机の内部において側板前方に形成した側方収納スペースに余分の各種ケーブル類の収納を可能とし、更に、必要に応じて側方蓋に形成したケーブル挿通孔より所望のケーブルを引き出し外部の機材等に接続することが可能であるので机上においては、余分なケーブル類が無く、極めて良好な作業環境が実現可能である。尚、側方収納スペースは、各種ケーブル類の収納に限定するものではなく、さらに他の小物類の収納をも可能とする事は、ここで述べるまでもないことである。
【００１７】
又、請求項３によれば、机の内部において各種ケーブルを側方収納スペースより後部間仕切りに形成した内部ケーブル通路を通して後部収納スペースへ導き、更に、一部はケーブル取出し口を通して机の上部へ引き出し、外部の機材等に接続することが可能である。又、その他のケーブル類は後部ケーブル取出し口を通して、後部へ引き出し外部の機材等に接続することが可能である。例えば、電源ケーブル等であれば、電源コンセントへ、LANケーブル等であれば他のパソコン等へと接続が可能であるので、各種ケーブル類を床上に転がすこともなく余分なケーブル類が足元に散乱して引き起こされる様々の事故、例えば、躓き、転倒、踏みつけ、断線等を未然に防ぐことが可能である。
【発明を実施するための最良の形態】
【００１８】
以下、図面を参照しながら本発明の実施形態について詳しく説明する。
【００１９】
本発明にかかる机の要部は図１に示すように、袖箱１と、机２による構成からなる。以下、詳細を説明する。
【００２０】
図１は、（実施例1）において、主に、載置台１Ｅ、移動方向自在に回転するキャスター１Ｆ等を取り付けた袖箱１と、右側板２Ａ、と左側板２Ｂ、天板２Ｇ、下板２Ｊ及び壁板２Ｅ等によって形成される机２による構成からなる。
【００２１】
図２は、（実施例1）において、前板１Ａの左後方に左側板１Ｃ及び右後方に右側板１Ｂを配し前板の対向面に壁板１Ｋを配し底面に底板１Ｐを配し内部空間に棚板１Ｌを配し箱体１ｆを形成し、更に、箱体の上端部より鍔部を設けて天板１Ｊを配して、天板１Ｊ上部にケーブル収納部１Ｄを形成する。更に、左鍔１ｒの後部に切り欠きを設け、後部ケーブル通路１ｄを形成する。そして更に、右鍔１ｂの前部に切り欠きを設け、前部ケーブル通路１ｅを形成する。前鍔１ａの上面の右隅に、垂直孔１Ｇを穿孔し、バネによって付勢したシャフト１ｈを有する係止具１Ｈを、其のストロークが垂直に出し入れ可能に押納して取り付ける。箱体１ｆの左側板１Ｃの下部にタワー１ｊを載置する為の載置台１Ｅを、側方より取り付け、底面の四隅に移動方向自在に回転するキャスター１Ｆを取り付けて、袖箱１を形成する実施形態を示す。
【００２２】
尚、（実施例１）の図２で後部ケーブル通路１ｄを左側板１Ｃに形成し前部ケーブル通路１ｅを右側板１Ｂに形成し係止具１Ｈを前鍔１ａの上面の右隅に配し箱体の左側板１Ｃの下部にタワー１ｊを載置する為の載置台を側方より取り付けた例を示したのは本発明を説明する為のもので例えば後部ケーブル通路１ｄを右側板１Ｂに形成し前部ケーブル通路１ｅを左側板１Ｃに形成し係止具１Ｈを前鍔１ａの上面の左隅に配し箱体の右側板１Ｂの下部にタワー１ｊを載置する為の載置台１Ｅを側方より取り付けて実施した場合であっても効果は同じである。又、載置台にタワー１ｊを載置する例を示したのは本発明を説明する為のもので他のＯＡ機器等を載置して実施した場合であっても効果は十分である。
【００２３】
図３は（実施例1）において、机２の下板２Ｊの右前部に袖箱１の前鍔１ａに押納して取り付けた係止具１Ｈのシャフト１ｈが挿通可能なホールド孔２ｂを穿孔し、更に、ホールド孔２ｂの近くに、袖箱１の天板１Ｊ上面に収納したケーブル類を机の内部に導く為の導入孔２ｒを穿孔する実施形態を示す。
【００２４】
尚、（実施例１）の図３で、机２の下板２Ｊの右前部にホールド孔２ｂを穿孔し、更に、ホールド孔２ｂの近くに、導入孔２ｒを穿孔する例を示したのは、本発明を説明する為のもので、例えば、机２の下板２Ｊの左前部にホールド孔２ｂを穿孔し、更に、ホールド孔２ｂの近くに、導入孔２ｒを穿孔して実施した場合であっても効果は同じである。更に、机２の下板２Ｊの右前部及び左前部の両方にホールド孔２ｂを穿孔し、更に、其々のホールド孔２ｂの近くに、其々導入孔２ｒを穿孔して実施した場合であっても効果は十分である。
【００２５】
更に、図３において、机の右側板２Ａ前方の内部空間に間仕切り２ａを設け、側方収納スペース２Ｃを形成し、側方収納スペース２Ｃの上部を塞ぐ側方蓋２Ｄを右側板２Ａに開閉自在の蝶板２ｈを介して蝶着し開閉自在とし側方蓋に切り欠きを設けケーブル挿通孔２ｊを形成した実施形態を示す。
【００２６】
尚、(実施例１)の図３で、机の右側板２Ａ前方に側方収納スペース２Ｃを形成し、側方蓋２Ｄを右側板２Ａに蝶着し開閉自在とする例を示したのは、本発明を説明する為のもので、例えば、机の左側板２Ｂ前方に側方収納スペース２Ｃを形成し、側方蓋２Ｄを左側板２Ｂに蝶着し開閉自在として実施した場合であっても効果は同じである。更に、右側板２Ａ前方および左側板２Ｂ前方、の内部空間に間仕切り２ａを設け、左右に側方収納スペース２Ｃを形成し、側方収納スペース２Ｃの上部を塞ぐ側方蓋２Ｄを左右側板に其々蝶着し開閉自在として実施した場合であっても効果は十分である。
【００２７】
更に、図３において、机２の内部において壁板２Ｅの手前の空間に、左右にわたって後部間仕切り２ｄを設け後部収納スペース２Ｆを形成し、後部間仕切り２ｄの右に切り欠きを設け、側方収納スペース２Ｃよりケーブル類を導くための内部ケーブル通路２ｅを形成する。更に、後部収納スペース２Ｆの上部にかかる天板２Ｇの一部を切り欠き、ケーブル取出し口２ｆを設け、壁板２Ｅにも後部ケーブル取出し口２ｐを設ける。更に、後部収納スペース２Ｆを塞ぐ後方蓋２Ｈを着脱自在とした実施形態を示す。
【００２８】
尚、(実施例１)の図３で、机２の内部において後部間仕切り２ｄの右に切り欠きを設け、内部ケーブル通路２ｅを形成する例を示したのは本発明を説明する為のもので、例えば、机２の内部において後部間仕切り２ｄの左に切り欠きを設け、内部ケーブル通路２ｅを形成して実施した場合であっても効果は同じである。更に、後部間仕切り２ｄの右および左に切り欠きを設け、側方収納スペース２Ｃよりケーブル類を導くための内部ケーブル通路２ｅを左右に形成して実施した場合であっても効果は十分である。又、天板２Ｇを記載していないのは本発明を説明する為のものであり、更に、側方収納スペース２Ｃ、及び、後部収納スペース２Ｆ、以外の内部空間は、本発明を説明するためのもので、抽斗等を押納して実施した場合であっても効果は十分である。
【００２９】
又、（実施例１）の図２で、前板１Ａの左右後方に左側板１Ｃ及び右側板１Ｂを配し前板の対向面に壁板１Ｋを配し底面に底板１Ｐを配し内部空間に棚板１Ｌを配し箱体１ｆを形成する例を示したのは本発明を説明する為のもので、箱体１ｆの内部空間に抽斗等を押納して実施しても効果は十分である。
【実施例１】
【００３０】
図１は本発明の１実施例を示す。
前板の左右後方に左側板及び右側板を配し前板の対向面に壁板を配し底面に底板を配し内部空間に棚板を配し箱体を形成し、更に、箱体の上端部に鍔部を設けて天板を配して、天板上部にケーブル収納部を形成する。更に、右鍔、又は左鍔のいずれか、又は、右鍔および左鍔の両方の後部に切り欠きを設け、後部ケーブル通路を形成する。そして更に、右鍔、又は左鍔のいずれか、又は右鍔および左鍔の両方、の前部に切り欠きを設け、前部ケーブル通路を形成する。前鍔の上面の右隅、又は左隅のいずれか、または両隅に、垂直孔を穿孔し、バネによって付勢したシャフトを有する係止具を、其のストロークが垂直に出し入れ可能に押納して取り付ける。箱体の右側板、又は左側板のいずれか、又は左右両側板の下部にタワーを載置する為の載置台を、側方より取り付け、底面の四隅に移動方向自在に回転するキャスターを取り付けて、袖箱を形成する。
机の下板において右前部、又は左前部のいずれか、又は右前部および左前部の両方に、袖箱の前鍔に押納して取り付けた係止具のシャフトが挿通可能なホールド孔を穿孔し、更に、ホールド孔の近くに、袖箱の天板上面に収納したケーブル類を机の内部に導く為の導入孔を穿孔する事を特徴とする。
【００３１】
更に、机の内部において右側板前方、又は左側板前方のいずれか、又は右側板前方および左側板前方、の空間に間仕切りを設け、側方収納スペースを形成し、側方収納スペースの上部を塞ぐ側方蓋を側板に蝶着し開閉自在とし、更に、側方蓋に切り欠きを設けケーブル挿通孔を形成することを特徴とする。
【００３２】
更に、机の内部において壁板の手前の空間に、左右にわたって後部間仕切りを設け後部収納スペースを形成し、後部間仕切りの右、又は左、又は右および左、に切り欠きを設け、側方収納スペースよりケーブル類を導くための内部ケーブル通路を形成する。更に、後部収納スペースの上部にかかる天板の一部を切り欠き、ケーブル取出し口を設け、壁板にも後部ケーブル取出し口を設ける。更に、後部収納スペースを塞ぐ後方蓋を着脱自在としたことを特徴とする。
【図面の簡単な説明】
【００３３】
【図１】本発明の（実施例1）の要部を示す斜視図
【図２】本発明の（実施例１）にかかる袖箱１の斜視図である。
【図３】本発明の（実施例1）にかかる机２の天板２ｐを省略した斜視図である１袖箱１Ａ前板１Ｂ右側板１Ｃ左側板１Ｄケーブル収納部１Ｅ載置台１Ｆキャスター１Ｇ垂直孔１Ｈ係止具１Ｊ天板１Ｋ壁板１Ｌ棚板１Ｐ底板１ａ前鍔１ｂ右鍔１ｒ左鍔１ｄ後部ケーブル通路１ｅ前部ケーブル通路１ｆ箱体１ｇ１ｈシャフト１ｊタワー２机２Ａ右側板２Ｂ左側板２Ｃ側方収納スペース２Ｄ側方蓋２Ｅ壁板２Ｆ後部収納スペース２Ｇ天板２Ｈ後方蓋２Ｊ下板２ａ間仕切り２ｂホールド孔２ｒ導入孔２ｄ後部間仕切り２ｅ内部ケーブル通路２ｆケーブル取出し口２ｈ蝶板２ｊケーブル挿通孔２ｐ後部ケーブル取出し口
【図１】
2006081786.tif 000003
【図２】
2006081786.tif 000004
【図３】
2006081786.tif 000005